(57)【特許請求の範囲】
【請求項１】
火災受信機と、信号線を介して上記火災受信機に接続されている複数の火災感知器とを有し、上記火災感知器から受信した信号に基づいて、上記火災受信機が火災警報を行う火災報知設備において、
上記火災感知器の設置場所が工事中である旨を設定する工事中設定部と；
上記火災感知器から受信した信号に基づいて火災警報を行うときに、上記工事中設定部を参照し、上記信号を送出した火災感知器が、上記工事中である旨の設定が行われている火災感知器である場合に、工事用の火災警報として、上記火災受信機の盤面に、工事中である旨を付加して火災情報表示し、注意警報を行う火災警報手段と；
を上記火災受信機が有することを特徴とする火災報知設備。
【請求項２】
請求項１において、
上記火災受信機は、上記工事中と設定された所定の火災感知器から火災信号を検出すると、上記所定の火災感知器に設定されている連動制御の設定を遮断する火災受信機であることを特徴とする火災報知設備。
【発明の詳細な説明】
【０００１】
【発明の属する技術分野】
本発明は、火災受信機と、信号線を介して上記火災受信機に接続されている複数の火災感知器とを有し、上記火災感知器から受信した信号に基づいて、上記火災受信機が火災警報を行う火災報知設備に関する。
【０００２】
【従来の技術】
従来の火災報知設備は、信号線を介して、火災受信機に複数の火災感知器が接続され、各火災感知器に互いに異なるアドレスが付与され、火災受信機が上記アドレスを使用してポーリングを行い、このポーリングを受けた火災感知器が必要情報を火災受信に返送するものである。
【０００３】
そして、信号線を介して火災感知器から火災信号を受信すると、その火災感知器が設置されている火災警戒地区に火災が発生していることを受信盤に表示するとともに、主音響、地区音響の鳴動、必要な防排煙装置等の連動制御を行う。
【０００４】
ところで、火災警報設備が設置されている建物等において、修理、改装等の理由で、複数の火災警報地区の一部の火災警戒地区を工事する場合がある。この工事が行われると、工事現場で多量の埃が発生することがあり、このように埃が多量に発生すると、光電式煙火災感知器は、火災が発生した場合に煙を検出したと同様の結果を出力し、つまり、火災が発生していなくても、火災報知し、誤報が生じる。そして、連想制御による防火戸の突然の作動によって、利用者に迷惑をかける場合もある。
【０００５】
この誤報を防止するために、工事が行われている火災警戒地区について、工事地区の火災感知器を一時的に外したり、工事中であるため信号を収集しない旨を火災受信機に入力し、工事が行われている火災警戒地区から火災信号が入らないようにマスクする手段を備えている。
【０００６】
【発明が解決しようとする課題】
しかし、上記従来例では、火災感知器を外したり、火災信号を上げないようにしてしまうので、工事が行われている火災警戒地区については、完全に未警戒となってしまい、現実に火災が発生しても対応できないという不具合がある。
【０００７】
本発明は、火災警報設備が設置されている建物等において、複数の火災警報地区の一部の火災警報地区を工事する場合、工事中である旨の情報、工事が終了した旨の情報を火災受信機に入力し、工事中用の火災警報を行うことができる火災報知設備を提供することを目的とするものである。
【０００８】
【課題を解決するための手段】
本発明は、火災受信機と、信号線を介して上記火災受信機に接続されている複数の火災感知器とを有し、上記火災感知器から受信した信号に基づいて、上記火災受信機が火災警報を行う火災報知設備において、上記火災感知器の設置場所が工事中である旨を設定する工事中設定部と、上記火災感知器から受信した信号に基づいて火災警報を行うときに、上記工事中設定部を参照し、上記信号を送出した火災感知器が、上記工事中である旨の設定が行われている火災感知器である場合に、工事用の火災警報として、上記火災受信機の盤面に、工事中である旨を付加して火災情報表示し、注意警報を行う火災警報手段とを上記火災受信機が有する火災報知設備である。
【０００９】
【発明の実施の形態および実施例】
図１は、本発明の一実施例である火災報知設備における火災受信機ＲＥを示すブロック図である。
【００１０】
上記実施例は、アナログ式火災報知システムに適用された場合のものである。このアナログ式のシステムは、設置されている各火災感知器ＳＥ１  〜ＳＥＮ  のそれぞれに、互いに異なるアドレスが付与され、火災受信機ＲＥがアドレスに基づいて、感知器ＳＥ１  〜ＳＥＮ  のそれぞれから、各感知器の検出レベルであるセンサレベルＳＬをアナログ値として収集し、火災を判別するシステムである。
【００１１】
火災受信機ＲＥは、火災受信機ＲＥの全体を制御するマイクロプロセッサＭＰＵ１と、作業用領域として使用するＲＡＭ１１と、火災感知器の種別（ＩＤ）が異常であることを示す異常情報、または火災感知器の種別がデータベースＤＢに存在していないことを示す不存在情報を記憶するＲＡＭ１２と、工事中エリアに設置されている火災感知器指定を格納するＥＥＰＲＯＭ１３と、制御割込を記憶するＲＡＭ１４と、光電式煙感知器ＳＥ１  〜ＳＥＮ  の出力信号であるアナログのセンサレベルＳＬを記憶するＲＡＭ１５と、端末から収集した種別を、火災感知器の種別を示す表として記憶するＲＡＭ１６とを有する。
【００１２】
なお、「工事中設定」は、火災受信機の盤面での操作に基づいて、アドレスやエリアに基づき工事中のエリアに設置されている火災感知器が特定される。
【００１３】
また、火災受信機ＲＥは、火災受信機ＲＥの全体を制御するプログラムが格納されているＲＯＭ２１と、設置されるべき端末の種別等を表として予め設定されている端末マップ表を格納してあるＲＯＭ２２と、防排煙機器等の被連動制御機器と火災感知器との連動関係を示す連動制御表が格納されているＲＯＭ２３と、インタフェースＩＦ３１〜３４と、操作部ＯＰと、表示部ＤＰと、信号送受信部ＴＲＸ１と、主音響用ブザーＭＢとを有する。
【００１４】
また、信号線Ｌ１を介して、火災受信機ＲＥに、火災感知器の一例としての光電式煙感知器ＳＥ１  〜ＳＥＮ  、その他、図示しない発信機、地区音響装置、防排煙機器等の被連動制御機器等の複数の端末が接続されている。
【００１５】
図２は、上記実施例に使用されている光電式煙感知器ＳＥ１  を示すブロック図である。
【００１６】
光電式煙感知器ＳＥ１  は、光電式煙感知器ＳＥ１  の全体を制御するマイクロプロセッサＭＰＵ２と、作業用として使用するＲＡＭ４１と、光電式煙感知器ＳＥ１  の全体を制御するプログラムが格納されているＲＯＭ５１と、端末の番号ｎとその種別とが対応して格納されているＲＯＭ５２と、クロック発生源ＣＬと、信号送受信部ＴＲＸ２と、インタフェースＩＦ６１〜６４と、煙検出用の発光ダイオードＬＤと、ホトダイオードＰＤと、テストランプＴＬと、動作確認灯としての発光ダイオードＬＥＤとを有する。
【００１７】
ＲＯＭ５１は、光電式煙感知器ＳＥ１  の全体を動作させるフローチャートに関するプログラム等の記憶領域であり、ＲＯＭ５２は、端末自身の自己アドレス端末番号、端末機器の種別等の記憶領域である。信号送受信部ＴＲＸ２は、信号送受信部ＴＲＸ１と同様のものである。ここで、ＲＯＭ５２の代わりに、種別等が設定可能なディップスイッチ、書き換えが可能なＥＥＰＲＯＭ等を使用するようにしてもよい。
【００１８】
また、光電式煙感知器ＳＥ２  〜ＳＥＮ  のそれぞれの構成は、光電式煙感知器ＳＥ１  の上記構成と同様である。
【００１９】
次に、火災受信機ＲＥの動作について説明する。
【００２０】
火災受信機ＲＥは、図示しない照合ルーチンの次に監視ルーチン（Ｓ２００）を実行し、この監視ルーチン（Ｓ２００）において、火災時に蓄積が完了すると、火災ルーチン（Ｓ３００）に移る。
【００２１】
つまり、照合ルーチンにおいては、システムの起動時に、まず自己のデータベースＤＢ（端末マップ表と連動制御表とが格納されているデータベース）と、接続されている火災感知器ＳＥ１  〜ＳＥＮ  の種別とを照合し、この照合が終わると、監視ルーチン（Ｓ２００）において、火災監視を行うために、各火災感知器ＳＥ１  〜ＳＥＮ  からアナログ値のセンサレベルＳＬを収集し、この収集されたアナログ値のセンサレベルＳＬを火災判別レベルＦＬと比較する。ここで、火災と判別されると、火災ルーチン（Ｓ３００）を実行し、火災警報や連動制御動作を行うとともに、検出された火災感知器の種別が「工事中種別」であれば、被連動機器の連動動作を遮断する連動遮断を設定する。また、一通り各アドレス毎にアナログ値を収集した後に、火災受信機ＲＥの盤面からの入力等によって割込ルーチン（Ｓ４００）を実行する。
【００２２】
図３は、上記実施例における監視ルーチン（Ｓ２００）の動作を示すフローチャートである。
【００２３】
監視ルーチン（Ｓ２００）において、まず、光電式煙感知器等の端末の番号ｎを０にセットし、端末の番号ｎが最大値Ｎでなければ（Ｓ２２）、端末の番号ｎを１インクリメントし（Ｓ２３）、ｎ番目の端末が存在していれば（Ｓ２４）、ｎ番の端末のセンサレベルＳＬを返送させる返送命令を送出し（Ｓ２５）、ｎ番の端末から応答があれば（Ｓ２６）、ｎ番の端末が応答したいわゆるアナログ値である、煙濃度や熱温度に対応するセンサレベルＳＬをＲＡＭ１５に格納し（Ｓ２７）、ｎ番の火災感知器に関する火災レベルＦＬを読出す（Ｓ２８）。そして、センサレベルＳＬと火災レベルＦＬとを比較し、センサレベルＳＬが火災レベルＦＬよりも高く（Ｓ２９）、その蓄積が完了すると（Ｓ３０）、火災ルーチン（Ｓ３００）に移る。逆に、センサレベルＳＬが火災レベルＦＬよりも低ければ（Ｓ２９）、蓄積を解除する（Ｓ３１）。
【００２４】
このＲＡＭ１５に格納したセンサレベルＳＬは、熱感知方式として差分値を取るための過去のレベルとして用いたり、また、所定時間分蓄えることによって経時的な変化を表す、いわゆるトレンド表示に用いることができる。さらに、センサレベルＳＬを蓄え、ノイズレベル変動を見ることによって、機能監視を行うようにしてもよい。
【００２５】
そして、１番からＮ番までの火災感知器のセンサレベルＳＬを収集し終わったときに（Ｓ２２）、工事中の火災感知器である旨がＥＥＰＲＯＭ１３に設定されていれば（Ｓ４１）、工事中エリアに火災感知器が存在していると判断でき、工事中の代表表示として代表灯の点灯を行う（Ｓ４３）。一方、工事中の火災感知器である旨がＥＥＰＲＯＭ１３に設定されていなければ（Ｓ４１）、工事中エリアに火災感知器が存在していないと判断され、代表灯を消去する（Ｓ４２）。
【００２６】
監視ルーチン（Ｓ２００）では、アドレスに応じて１番からＮ番までの火災感知器のアナログ値を収集するようにしているので、火災感知器ＳＥ１  〜ＳＥＮ  のそれぞれにデータの返送命令を送出する。ここで、火災感知器以外の端末からは、その起動や停止等の状態を示す状態情報が返送される。
【００２７】
収集したｎ番の火災感知器のアナログ値のセンサレベルＳＬが、ｎ番の火災感知器の種別に応じた火災判別レベルＦＬと比較され、アナログ値のセンサレベルＳＬが火災判別レベルＦＬよりも大きくなければ（Ｓ２９）、順次循環的に個々のアドレス毎にアナログ値のセンサレベルＳＬの収集を続ける。ここで、アナログ値のセンサレベルＳＬが火災判別レベルＦＬよりも大きくなり、さらに、そのアナログ値のセンサレベルＳＬが所定の閾値よりも大きいと判別された回数が、所定回数継続する場合（蓄積機能が完了した場合）（Ｓ３０）、火災ルーチン（Ｓ３００）に移る。
【００２８】
この監視ルーチン（Ｓ２００）の中でも、ｎ番の火災感知器が存在していないと判断された場合（Ｓ２４）、端末に種別の返送命令を送出する（Ｓ６１）。
【００２９】
つまり、ｎ盤の端末から応答があれば（Ｓ６２）、その種別をＲＡＭ１６に格納し（Ｓ６４）、ｎ番の端末の種別をデータベースＤＢから読出し（Ｓ６５）、収集したｎ番の火災感知器の種別が、データベースＤＢに格納されているｎ番の種別と異なっていれば（Ｓ６６）、種別異常とし、盤面に表示し、注意警報を行う（Ｓ７０）。また、ｎ番目の火災感知器からの応答がなかった場合（Ｓ６２）、感知器の設置忘れ等であり、また、不存在として盤面に既に表示していることになる。
【００３０】
なお、収集したｎ番の火災感知器の種別が、データベースＤＢに格納されているｎ番の種別と同じであれば（Ｓ６６）、ｎ番の端末の種別の異常を解除する（Ｓ６７）。
【００３１】
また、ｎ番の火災感知器にデータ返送命令を送出しても所定の待ち時間の間、応答がない場合（Ｓ２６、Ｓ５１）、ｎ番の端末が存在していないことを示す不存在情報を格納し、ｎ番の端末が存在していないことを受信機ＲＥの表示部ＤＰに表示する（Ｓ５４）。
【００３２】
ｎ番の火災感知器が存在しなければ（Ｓ２４）、種別返送命令を送出し（Ｓ６１）、応答がなければ（Ｓ６２）、待ち時間の経過後に（Ｓ６３）、ステップＳ２２に戻る。
【００３３】
図４は、上記実施例における火災ルーチン（Ｓ３００）の動作を示すフローチャートである。
【００３４】
火災ルーチン（Ｓ３００）において、監視ルーチン（Ｓ２００）で火災と判別される場合の火災動作を行い、まず、火災受信機ＲＥの盤面で、主音響鳴動と、必要な地区音響鳴動とを合わせた火災警報鳴動と、火災受信機ＲＥの盤面における火災代表灯点灯やＬＣＤへの地区や場所名の文字表示、プリンタへの火災情報印字、別に設置している火災表示機（図示せず）への火災情報移報等を合わせた火災情報表示を行い、連動制御動作が遮断されていなければ、データベースＤＢからｎ番の連動機器を読出して、連動させる機器への命令を割込動作で実行できるように設定する。
【００３５】
つまり、監視ルーチン（Ｓ２００）において火災と判別され、ＥＥＰＲＯＭ１３を参照した結果（Ｓ８０）、ｎ番の火災感知器が工事中でなければ（Ｓ８１）、火災警報を鳴動し（Ｓ８２）、火災情報を表示し（Ｓ８３）、連動制御の設定が動作していれば（Ｓ８４）、データベースＤＢから連動設定データを読出し（Ｓ８５）、制御命令割込を設定する（Ｓ８６）。
【００３６】
ここで、監視ルーチン（Ｓ２００）において火災と判別され、ｎ番の火災感知器について工事中である旨がＥＥＰＲＯＭ１３に設定されていれば（Ｓ８１）、誤報の可能性が高いので、まず、火災警報鳴動は行わず、火災受信機盤面の火災代表灯点灯やＬＣＤの文字表示、プリンタへの火災情報印字、別に設置している火災表示機（図示せず）への情報移報等に、工事中である旨を付加した火災情報表示と注意警報とを行い（Ｓ８７）、連動制御の設定を遮断する（Ｓ８８）。
【００３７】
この結果、工事中のエリアにおいても、火災信号（火災と判別される状態）自体の表示や記録が残るようにし、誤報が頻繁に発生しても、音響や連動等を停止や遮断しているので、工事中エリア外に迷惑をかけない。
【００３８】
割込ルーチン（Ｓ４００）は、詳細に示さないが、火災受信機ＲＥの盤面からの各種スイッチの設定等を確認するとともに、連動制御のための起動命令等の割込動作があるときに、必要な動作を行う。
【００３９】
また、上記のように、工事中設定に基づいて（Ｓ８１）、連動遮断を設定した場合でも（Ｓ８８）、たとえば、火災受信機の操作部ＯＰに設けられている図示しない火災断定スイッチを操作すれば、上記連動遮断の設定が解除され、これによって、連想設定動作が実行される。つまり、火災発生時に現場確認を行った後に、火災断定スイッチが操作され、火災断定入力が行われ、上記連動遮断の設定が解除され、連想設定動作が実行される。
【００４０】
すなわち、上記実施例は、火災受信機と、信号線を介して上記火災受信機に接続されている複数の火災感知器とを有し、上記火災感知器から受信した信号に基づいて、上記火災受信機が火災警報を行う火災報知設備において、上記火災感知器の設置場所が工事中である旨を設定する工事中設定部と、上記火災感知器から受信した信号に基づいて火災警報を行うときに、上記工事中設定部を参照し、上記信号を送出した火災感知器が、上記工事中である旨の設定が行われている火災感知器である場合に、工事用の火災警報を行う火災警報手段とを上記火災受信機が有する火災報知設備の例である。
【００４１】
また、上記実施例において、火災受信機は、所定の火災感知器が設置されている火災警戒地区が工事中であることを示す表示を行うものである。さらに、上記実施例において、火災受信機は、工事中の場所の火災感知器から火災信号を検出したときに、所定の火災感知器が設置されている火災警戒地区が工事中であることを示す表示と、文字表示、音声警報、印字等の火災情報表示とを行う火災報知設備の例である。
【００４２】
さらに、上記実施例において、上記火災受信機は、工事中の場所の火災感知器から火災信号を検出したときに、所定の火災感知器に設定されている連動制御の設定を遮断するものである。
【００４３】
さらに、工事中種別であっても、現場に赴き火災が確認された場合には、地区音響や防排煙連動を行う必要があり、火災断定入力によって連動遮断解除を行うことができる。
【００４４】
また、全体システムとして上記実施例では、アナログ式のシステムを利用しているが、火災感知器側で火災判別した結果を集めるいわゆるアドレッサブルの伝送式のシステムに上記実施例を適用するようにしてもよく、さらに、火災感知器側からの火災信号をスイッチング出力するいわゆるＰ型のシステムに上記実施例を適用するようにしてもよい。
【００４５】
【発明の効果】
本発明によれば、火災警報設備が設置されている建物等において、複数の火災警報地区の一部の火災警報地区を工事する場合、工事中である旨の情報、工事が終了した旨の情報を、火災受信機に入力し、工事中用の火災警報を行うことができるという効果を奏する。
【図面の簡単な説明】
【図１】本発明の一実施例である火災報知設備における火災受信機ＲＥを示すブロック図である。
【図２】上記実施例に使用される光電式煙感知器ＳＥ１  を示すブロック図である。
【図３】上記実施例における監視ルーチン（Ｓ２００）の動作を示すフローチャートである。
【図４】上記実施例における火災ルーチン（Ｓ３００）の動作を示すフローチャートである。
【符号の説明】
ＲＥ…火災受信機、
１２…種別異常、種別不存在記憶用ＲＡＭ、
１３…工事中設定用ＥＥＰＲＯＭ、
２２…端末マップ表記憶用ＲＯＭ、
２３…連動制御表用ＲＯＭ、
ＳＥ１  〜ＳＥＮ  …光電式煙感知器。
【図１】
0003613507.tif 000002
【図２】
0003613507.tif 000003
【図３】
0003613507.tif 000004
【図４】
0003613507.tif 000005